(57)【要約】      （修正有）【課題】ベランダの手摺り等に干された寝具類を、強い力で挟持すると共に、挟持する一対の挟持部材が相互にずれたり捩じれることなく、寝具類が風を受けて揺れるのに対し、確実に飛散・落下防止できる寝具類挟持具を提供する。【解決手段】接近・離間自在として、寝具類を平行な水平状細長挟持面部20をもって挟持する一対の押圧部材２を備える。かつ、上部で折返し状に形成され寝具類を包囲する包囲空間10を有すると共に一対の押圧部材を連結して相互に接近させるように付勢する一対の連結部材３を備える。さらに、各押圧部材２の挟持面部20の長さ寸法Ｌは、寝具類を包囲空間10に差込み可能な長さ寸法の70％以上に設定されている。【選択図】図１
0003111910.tif 000002
【実用新案登録請求の範囲】
【請求項１】
接近・離間自在として、寝具類（１）を平行な水平状細長挟持面部（20)(20）をもって挟持する一対の押圧部材（２)(２）と、上部で折返し状に形成され該寝具類（１）を包囲する包囲空間（10）を有すると共に該一対の押圧部材（２)(２）を連結して相互に接近させるように付勢する連結部材（３）と、を備え、
さらに、各上記押圧部材（２）の上記挟持面部（20）の長さ寸法（Ｌ）は、上記寝具類（１）を上記包囲空間（10）に差込み可能な長さ寸法（Ｈ）の70％以上に設定されたことを特徴とする寝具類挟持具。
【請求項２】
接近・離間自在として、寝具類（１）を平行な水平状細長挟持面部（20)(20）をもって挟持する一対の押圧部材（２)(２）と、上部で折返し状に形成され該寝具類（１）を包囲する包囲空間（10）を有すると共に該一対の押圧部材（２)(２）を連結して相互に接近させるように付勢する一対の連結部材（３)(３）と、を備え、
さらに、各上記押圧部材（２）の上記挟持面部（20）の長さ寸法（Ｌ）は、上記寝具類（１）を上記包囲空間（10）に差込み可能な長さ寸法（Ｈ）の70％以上に設定されたことを特徴とする寝具類挟持具。
【請求項３】
接近・離間自在として、寝具類（１）を平行な水平状細長挟持面部（20)(20）をもって挟持する一対の押圧部（12)(12）と、上部で折返し状に形成され該寝具類（１）を包囲する包囲空間（10）を有すると共に該一対の押圧部（12)(12）を連結して相互に接近させるように付勢する連結部（13）と、が一体成型され、
さらに、各上記押圧部（12）の上記挟持面部（20）の長さ寸法（Ｌ）は、上記寝具類（１）を上記包囲空間（10）に差込み可能な長さ寸法（Ｈ）の70％以上に設定されたことを特徴とする寝具類挟持具。
【考案の詳細な説明】
【技術分野】
【０００１】
本考案は、布団や毛布等の寝具類をベランダの手摺り等に干す際に使用する挟持具に関するものである。
【背景技術】
【０００２】
従来の寝具類挟持具は、略コの字状又は弧状の幅の狭い一対の挟持部材が、その一端部同士で揺動自在に枢着されると共に、その枢着部に、他端部に形成された押圧部同士を接近するように弾発付勢するバネ部材を設けて、押圧部で寝具類を挟持するものが知られている。
【考案の開示】
【考案が解決しようとする課題】
【０００３】
この従来の寝具類挟持具に於て、各挟持部材の幅が狭いので、枢着部の軸心方向に相互にずれたり、捩じれ易く、寝具類を挟持する力が低下してしまう。しかも、寝具類を押圧する押圧部の面積が小さいので、寝具類が風等を受けて揺れるのに対し確実に飛散防止するためには、多くの挟持具を用意し、挟持しなければならなくなり、不便である。
そこで、本考案は、ベランダの手摺り等に干された寝具類を、強い力で挟持すると共に、挟持する挟持部材が相互にずれたり捩じれることなく、寝具類が風を受けて揺れるのに対し、確実に飛散・落下防止できる寝具類挟持具を提供することを目的とする。
【課題を解決するための手段】
【０００４】
上記の目的を達成するために、本考案に係る寝具類挟持具は、接近・離間自在として、寝具類を平行な水平状細長挟持面部をもって挟持する一対の押圧部材と、上部で折返し状に形成され該寝具類を包囲する包囲空間を有すると共に該一対の押圧部材を連結して相互に接近させるように付勢する連結部材と、を備え、さらに、各上記押圧部材の上記挟持面部の長さ寸法は、上記寝具類を上記包囲空間に差込み可能な長さ寸法の70％以上に設定されたものである。
【０００５】
また、本考案に係る寝具類挟持具は、接近・離間自在として、寝具類を平行な水平状細長挟持面部をもって挟持する一対の押圧部材と、上部で折返し状に形成され該寝具類を包囲する包囲空間を有すると共に該一対の押圧部材を連結して相互に接近させるように付勢する一対の連結部材と、を備え、さらに、各上記押圧部材の上記挟持面部の長さ寸法は、上記寝具類を上記包囲空間に差込み可能な長さ寸法の70％以上に設定されたものである。
【０００６】
また、本考案に係る寝具類挟持具は、接近・離間自在として、寝具類を平行な水平状細長挟持面部をもって挟持する一対の押圧部と、上部で折返し状に形成され該寝具類を包囲する包囲空間を有すると共に該一対の押圧部を連結して相互に接近させるように付勢する連結部と、が一体成型され、さらに、各上記押圧部の上記挟持面部の長さ寸法は、上記寝具類を上記包囲空間に差込み可能な長さ寸法の70％以上に設定されたものである。
【考案の効果】
【０００７】
本考案は、次のような著大な効果を奏する。
本考案に係る寝具類挟持具は、接近・離間自在として、寝具類を平行な水平状細長挟持面部をもって挟持する一対の押圧部材を、有し、しかも、各押圧部材の挟持面部の長さ寸法は、寝具類を連結部材の包囲空間に差込み可能な長さ寸法の70％以上に設定されているので、挟持中に、風が吹いて寝具類が揺れるなどしても、押圧部材が長手方向にずれたり、捩じれにくく、挟持具が、寝具類から不意に外れてしまうことがなく、安定して寝具類を干すことができる。
また、押圧部材が、一対の連結部材で連結されるので、押圧部材が平行な状態で接近・離間する動きを、スムースに保持できる。
【０００８】
また、本考案に係る寝具類挟持具は、寝具類を平行な水平状細長挟持面部をもって挟持する一対の押圧部と、一対の押圧部を連結して相互に接近させるように付勢する連結部と、を一体成型するものなので、製造が容易となると共に、強固な構造となり、使用中に分解する等の破損をおこす虞れがない。
【考案を実施するための最良の形態】
【０００９】
以下、実施の形態を示す図面に基づき、本考案を詳説する。
図１，図２及び図３は、本考案に係る寝具類挟持具の第１の実施の形態を示す。この寝具類挟持具は、ベランダの手摺りに干された布団等の寝具類１を挟持し、風による飛散・落下等を防止するものであり、接近・離間自在として、寝具類１を平行な水平状細長挟持面部20，20をもって挟持する一対の押圧部材２，２を、備える。各押圧部材２は、定尺の丸棒（又は丸管）から成る。かつ、各押圧部材２は、その中間位置であって両端部からの寸法（距離）が同じ一対の部位に、環状細溝部８，８が形成される。各押圧部材２は、ポリプロピレンやポリエチレン等の樹脂材や、木材等から成る。
【００１０】
また、図１〜図３の実施の形態の挟持具は、一対の押圧部材２，２を連結して相互に接近させるように付勢する一対の連結部材３，３を、備える。具体的には、各連結部材３は、弾性を有する線部材を折曲げて上部で弯曲状に折返されるように形成したものであり、寝具類１に上方から嵌込まれて包囲する包囲空間10を有する線状連結部材４である。かつ、各線状連結部材４の両下端部４ａ，４ａは、図２に示したように、一対の押圧部材２，２の夫々の環状細溝部８，８に嵌込状に巻設されるように、カール状に形成される。線状連結部材４は、例えば、金属製ワイヤーバネ部材から成り、一対の押圧部材２，２が接近するように弾発付勢する。そして、押圧部材２は、その環状溝部８に線状連結部材４の下端部４ａが嵌込まれて、略面一状となる。
【００１１】
さらに、各押圧部材２の細長挟持面部20の長さ寸法Ｌは、寝具類１を包囲空間10に差込可能な長さ寸法Ｈの70％以上に設定される。かつ、長さ寸法Ｌの上限については、長さ寸法Ｈの２倍以下に設定する。Ｌが、Ｈの70％未満であると、使用中、押圧部材２，２がずれたり捩じれ易くなり、寝具類１を挟持する力が弱くなってしまう。一方、Ｌが、Ｈの２倍超過であると、押圧部材２が長過ぎて、使いにくい。なお、寝具類１を包囲空間10に差込可能な長さ寸法Ｈは、図３に示したように、線状連結部材４の上部４ｂと、下端部４ａとの上下寸法に相当する。
【００１２】
次に、図４は、本考案に係る寝具類挟持具の第２の実施の形態を示し、各連結部材３を以下に記す弯曲帯板状連結部材５とする点で、図１〜図３の実施の形態と相違する。具体的には、弯曲帯板状連結部材５は、弾性材から成る帯板部材を折曲げて、上部で弯曲状に折返されるように形成したもの（板バネ材）であり、寝具類１に上方から嵌込まれて包囲する包囲空間10を有する。かつ、各押圧部材２は、その中間位置であって両端部からの寸法（距離）が同じ部位に、一対の環状広幅溝部８，８が形成される。
そして、各連結部材５の両下端部５ａ，５ａは、一対の押圧部材２，２の夫々の溝部８，８に嵌込状に巻設されるように、カール状に形成される。押圧部材２は、その溝部８に連結部材５の下端部５ａが巻設されることによって、略面一状となる。弯曲帯板状連結部材５は、例えば、弾性を有する金属，プラスチック材等から成る。
そして、各押圧部材２の挟持面部20の長さ寸法Ｌは、寝具類１を包囲空間10に差込可能な長さ寸法Ｈの70％以上に設定されている。なお、長さ寸法Ｈは、連結部材５の上部５ｂの下面と、下端部４ａとの上下寸法に相当する。
【００１３】
次に、図５は、本考案に係る寝具類挟持具の第３の実施の形態を示し、各連結部材３を以下に記す弾発バネ付連結部材６とする点で、図１〜図３の実施の形態と相違する。具体的には、弾発バネ付連結部材６は、下端部15ａ，15ａが一対の押圧部材２，２の夫々の（後述の）溝部８，８に嵌込状に巻設される帯板部15，15と、帯板部15，15の上端部15ｂ，15ｂに夫々付設されかつ相互に揺動自在に当接される中空状枢着部16，16と、枢着部16，16内に配設されると共に両端17ａ，17ａが帯板部15，15の内面に固着されて帯板部15，15を接近させるように付勢する弾発バネ17と、を有する。各押圧部材２の環状太幅溝部８、及び、帯板部15の下端部15ａの形状は、図４の実施の形態と同様である。また、枢着部16，16は、二点鎖線に示す連結杆11にて連結されるのもよい。
そして、各押圧部材２の挟持面部20の長さ寸法Ｌは、寝具類１を包囲空間10に差込可能な長さ寸法Ｈの70％以上に設定されている。なお、長さ寸法Ｈは、連結部材６の枢着部16の下部16ａと、帯板部15の下端部15ａとの上下寸法に相当する。
【００１４】
次に、図６は、本考案に係る寝具類挟持具の第４の実施の形態を示し、各連結部材３を以下に記す弾発バネ付連結部材７とする点で、図１〜図３の実施の形態と相違する。具体的には、弾発バネ付連結部材７は、下端部18ａ，18ａが一対の押圧部材２，２に固着されると共に中間の交差部21で枢着された一対の弯曲棒部18，18と、弯曲棒部18，18の上端部18ｂ，18ｂを離間するように弾発付勢しつつ連結する弾発バネ19と、を有する。そして、一対の連結部材７，７が、一対の押圧部材２，２の夫々の中間位置であって両端部からの寸法（距離）が同じ部位に、固着される。弾発バネ19が弯曲棒部18，18の上端部18ｂ，18ｂを離間するように弾発付勢することで、弯曲棒部18，18の下端部18ａ，18ａが接近し、即ち、押圧部材２，２を接近させる。各弯曲棒部18は、弾性乃至非弾性の樹脂，金属、又は木材等から成る。
そして、各押圧部材２の挟持面部20の長さ寸法Ｌは、寝具類１を包囲空間10に差込可能な長さ寸法Ｈの70％以上に設定されている。なお、長さ寸法Ｈは、連結部材７の交差部21と、弯曲棒部18の下端部18ａとの上下寸法に相当する。
【００１５】
次に、図７は、本考案に係る寝具類挟持具の第５の実施の形態を示す。この挟持具は、接近・離間自在として、寝具類１を平行な水平状細長挟持面部20，20をもって挟持する一対の押圧部12，12を有する。各押圧部12は、定尺の丸棒（又は丸管）から成る。
かつ、挟持具は、一対の押圧部12，12を連結して相互に接近させるように付勢する連結部13を、有する。この連結部13は、ポリプロピレンやポリエチレン等の弾性材から成る板材を中央部で弯曲状に折曲げ、上部で折返し状としたもので、寝具類１に上方から嵌込まれて包囲する包囲空間10を有する。そして、この実施の形態の挟持具は、押圧部12，12と連結部13が、ポリプロピレンやポリエチレン等から一体成型されたものである。連結部13は、自由状態では、押圧部12，12を相互に接近させるように、弾発付勢する。なお、連結部13は、図例のように、その弯曲状に折曲げられて対向する面部に、大きな窓部14，14を形成するのが好ましい。窓部14，14を設けることで、連結部13の弾発付勢力を弱めることができ、押圧部12，12を離間させ易くなる。
そして、押圧部12の挟持面部20の長さ寸法Ｌは、寝具類１を包囲空間10に差込可能な長さ寸法Ｈの70％以上に設定されている。なお、長さ寸法Ｈは、連結部13の下端部13ａと上部13ｂとの上下寸法に相当する。
【００１６】
次に、本考案に係る寝具類挟持具の使用方法について説明する。
図１〜図３に示した実施の形態に於て、自由状態の挟持具は、図１に示したように、一対の押圧部材２，２が接近した状態であり、この押圧部材２，２を把持して離間させる。そして、挟持具を、図３に示したように、ベランダの手摺り等に干された寝具類１の上方から、包囲状に被せると、押圧部材２，２が、連結部材３の弾発付勢力によって接近し、寝具類１を平行な水平状細長挟持面部20，20をもって挟持する。押圧部材２の挟持面部20の長さ寸法Ｌは、寝具類１を包囲空間10に差込まれる長さ寸法Ｈの70％以上に設定されており、しかも、押圧部材２，２が、一対の連結部材３，３にて連結されているので、押圧部材２，２が長手方向にずれたり、捩じれることがなく、寝具類を挟持する力を一定に保持できる。
【００１７】
図４〜図７に示した夫々の実施の形態の寝具類挟持具に於ても、図１〜図３で既述した手順と同様に、一対の押圧部材２，２（図７では押圧部12，12）を把持して離間させ、寝具類に包囲状に被せて、挟持する。これらの場合も、押圧部材２，２（図７では押圧部12，12）が長手方向にずれたり、捩じれることがない。
【００１８】
なお、図１〜図５に示した実施の形態の夫々の挟持具は、押圧部材２，２と連結部材３とを分解・巻設自在なので、長さの相違する複数の連結部材２…と、連結部材３とから成る挟持具のセットとするもよい。
【００１９】
以上のように、本考案に係る寝具類挟持具は、接近・離間自在として、寝具類１を平行な水平状細長挟持面部20，20をもって挟持する一対の押圧部材２，２と、上部で折返し状に形成され寝具類１を包囲する包囲空間10を有すると共に一対の押圧部材２，２を連結して相互に接近させるように付勢する連結部材３と、を備え、さらに、各押圧部材２の挟持面部20の長さ寸法Ｌは、寝具類１を包囲空間10に差込み可能な長さ寸法Ｈの70％以上に設定されたものなので、挟持中に、風が吹いて寝具類１が揺れるなどしても、押圧部材２，２が長手方向にずれたり、捩じれにくく、挟持具が、寝具類１から不意に外れてしまうことがなく、安定して寝具類１を干すことができる。
【００２０】
また、本考案に係る寝具類挟持具は、接近・離間自在として、寝具類１を平行な水平状細長挟持面部20，20をもって挟持する一対の押圧部材２，２と、上部で折返し状に形成され寝具類１を包囲する包囲空間10を有すると共に一対の押圧部材２，２を連結して相互に接近させるように付勢する一対の連結部材３，３と、を備え、さらに、各押圧部材２の挟持面部20の長さ寸法Ｌは、寝具類１を包囲空間10に差込み可能な長さ寸法Ｈの70％以上に設定されたものなので、挟持中に、風が吹いて寝具類１が揺れるなどしても、押圧部材２，２が長手方向にずれたり、捩じれにくく、挟持具が、寝具類１から不意に外れてしまうことがなく、安定して寝具類１を干すことができる。
また、押圧部材２，２が、一対の連結部材３．３で連結されるので、押圧部材２，２が平行な状態で接近・離間する動きを、スムースに保持できる。
【００２１】
また、本考案に係る寝具類挟持具は、接近・離間自在として、寝具類１を平行な水平状細長挟持面部20，20をもって挟持する一対の押圧部12，12と、上部で折返し状に形成され寝具類１を包囲する包囲空間10を有すると共に一対の押圧部12，12を連結して相互に接近させるように付勢する連結部13と、が一体成型され、さらに、各押圧部12の挟持面部20の長さ寸法Ｌは、寝具類１を包囲空間10に差込み可能な長さ寸法Ｈの70％以上に設定されたものなので、挟持中に、風が吹いて寝具類１が揺れるなどしても、押圧部12，12が長手方向にずれたり、捩じれにくく、挟持具が、寝具類１から不意に外れてしまうことがなく、安定して寝具類１を干すことができる。
また、押圧部12，12と連結部13が一体成型されるので、製造が容易である。しかも、押圧部12，12と連結部13が一体成型で強固な構造となるので、使用中に分解する等の破損をおこす虞れがない。
【図面の簡単な説明】
【００２２】
【図１】本考案に係る寝具類挟持具の第１の実施の形態を示す斜視図である。
【図２】説明用要部斜視図である。
【図３】正面図である。
【図４】本考案に係る寝具類挟持具の第２の実施の形態を示す斜視図である。
【図５】本考案に係る寝具類挟持具の第３の実施の形態を示す斜視図であり、（イ）は斜視図で、（ロ）は要部斜視図である。
【図６】本考案に係る寝具類挟持具の第４の実施の形態を示す斜視図である。
【図７】本考案に係る寝具類挟持具の第５の実施の形態を示す斜視図である。
【符号の説明】
【００２３】
１  寝具類
２  押圧部材
３  連結部材
10  包囲空間
12  押圧部
13  連結部
20  挟持面部
Ｈ  長さ寸法
Ｌ  長さ寸法
【図１】
0003111910.tif 000003
【図２】
0003111910.tif 000004
【図３】
0003111910.tif 000005
【図４】
0003111910.tif 000006
【図５】
0003111910.tif 000007
【図６】
0003111910.tif 000008
【図７】
0003111910.tif 000009